(57)【要約】【課題】シンプルで使いやすい薬剤残量表示機能を備えた薬剤カートリッジの提供。【課題の解決手段】薬剤を担体に担持させた薬剤担持体を収容する回転体で、その中心位置に薬剤揮散装置の回転支持軸と連結するための軸心部を有する薬剤カートリッジにおいて、前記軸心部の上部に、昇華性物質又はゲル形成体が収納されるとともに、上面の少なくとも一部が透明で、かつ上面又は側面に通気孔とこれの遮蔽部材を有する成型容器を設けてなり、前記遮蔽部材は非回転時に前記通気孔を遮蔽し、一方回転時には遠心力によって前記通気孔を開放する機構を備えており、回転に伴う前記昇華性物質又はゲル形成体の消失状態を上面の前記透明部分を介して目視することにより、前記薬剤担持体の使用終点を認知できるように構成した薬剤カートリッジ。【選択図】図２
2006325404.tif 000002
【特許請求の範囲】
【請求項１】
薬剤を担体に担持させた薬剤担持体を収容する回転体で、その中心位置に薬剤揮散装置の回転支持軸と連結するための軸心部を有する薬剤カートリッジにおいて、前記軸心部の上部に、昇華性物質又はゲル形成体が収納されるとともに、上面の少なくとも一部が透明で、かつ上面又は側面に通気孔とこれの遮蔽部材を有する成型容器を設けてなり、前記遮蔽部材は非回転時に前記通気孔を遮蔽し、一方回転時には遠心力によって前記通気孔を開放する機構を備えており、回転に伴う前記昇華性物質又はゲル形成体の消失状態を上面の前記透明部分を介して目視することにより、前記薬剤担持体の使用終点を認知できるように構成したことを特徴とする薬剤カートリッジ。
【請求項２】
遮蔽部材が、非回転時は弾性体によって通気孔を遮断し、一方回転時の遠心力が弾力に抗して通気孔を開放する機構を備えることを特徴とする請求項１記載の薬剤カートリッジ。
【請求項３】
昇華性物質が、２，４，６−トリイソプロピル−１，３，５−トリオキサン、又はアダマンタンであることを特徴とする請求項１又は２記載の薬剤カートリッジ。
【請求項４】
ゲル形成体が、Ｎ−アシルアミノ酸誘導体系ゲル化剤を含むことを特徴とする請求項１又は２記載の薬剤カートリッジ。
【請求項５】
昇華性物質又はゲル形成体が着色されていることを特徴とする請求項１ないし４のいずれか記載の薬剤カートリッジ。
【請求項６】
内周面及び外周面にそれぞれ開口部が形成されている環状の中空構造体に薬剤担持体が収容され、この中空構造体と軸心部の間に複数のスポーク部が架設されていることを特徴とする請求項１ないし５のいずれか記載の薬剤カートリッジ。
【請求項７】
薬剤担持体の担体が、粒状もしくは略粒状でその平均外径が２ｍｍ〜８ｍｍのセルロース製ビーズであることを特徴とする請求項６記載の薬剤カートリッジ。
【請求項８】
薬剤担持体の上下両側面をそれぞれ上側部分及び下側部分によって囲み、かつ外側周囲を複数個の保持枠によって囲んでいることを特徴とする請求項１ないし５のいずれか記載の薬剤カートリッジ。
【請求項９】
薬剤担持体の担体が、上下両側面にメッシュ状の薬剤保持繊維層を有し、その両層間において両層を支持連結している支持連結用繊維層を配置した三次元の立体繊維構造体であることを特徴とする請求項８記載の薬剤カートリッジ。
【請求項１０】
薬剤が、一般式（Ｉ）
【化１】
2006325404.tif 000006
（式中、Ｘは水素原子又はメチル基を表す。Ｘが水素原子の時、Ｙはビニル基、１−プロペニル基、２−メチル−１−プロペニル基、２，２−ジクロロビニル基、２，２−ジフルオロビニル基又は２−クロロ−２−トリフルオロメチルビニル基を表し、Ｘがメチル基の時、Ｙはメチル基を表す。また、Ｚは水素原子、フッ素原子、メチル基、メトキシメチル基又はプロパルギル基を表す）で表されるフッ素置換ベンジルアルコールエステル化合物から選ばれた１種又は２種であることを特徴とする請求項１ないし９のいずれか記載の薬剤カートリッジ。
【発明の詳細な説明】
【技術分野】
【０００１】
本発明は、薬剤担持体を収容する回転体であって、遠心力を利用して薬剤を揮散させる薬剤揮散装置に装填される薬剤カートリッジの改良に関するものである。
【背景技術】
【０００２】
害虫、例えば蚊や蚋などを駆除するために、薬剤を閉鎖空間（室内や自動車の車内、アウトドアスポーツにおけるテント内など）全体に揮散、放出させる薬剤揮散方法として、熱エネルギーを利用した蚊取線香や電気蚊取マット、液体式電気蚊取(リキッド)が一般的であるが、常温でファン等の風力を利用して薬剤を揮散、放出させる方法も実用化されている。後者の方法は必ずしも交流電源を必要とせず、持ち運びが可能であることから携帯用として有用であり、本発明者らも特開２００１−２４７４０６号公報において、薬剤含浸担体を収納するカートリッジをモーターで回転させ薬剤をより効率的に揮散、放出させる薬剤揮散方法を開示した。
【０００３】
しかしながら、特開２００１−２４７４０６号公報に開示のものを含め、従来のファン式薬剤揮散装置は、薬剤含浸担体を収納するカートリッジの使用期限を知らせる機能が十分満足のいくものとは言えない。例えば、薬剤含浸担体に有効成分量と連動する色素などを配合して色の変化を利用する方法があるが、終点が不明瞭であるし、またカートリッジの使用期限と乾電池の寿命を同一に設定する方法にしても、乾電池の性能が多岐にわたることからシンプルなシステムに設計することは難しい。
最近、液晶表示を用いた製品が市販されているが、電気的制御機構を必要とするため装置が複雑で、コスト高を余儀なくされている。
【０００４】
ところで、薬剤残量表示のインジケーターとして昇華性物質を利用する提案はいくつか知られている。例えば、特開平７−１４９６０１号公報には、常温揮散性防虫薬剤と昇華性物質とを組み合わせた錠剤を、通気性材料からなる包装容器内に収納し、昇華性物質の消失状態によって防虫薬剤の残存状態を認知し得ることが記載されている。しかし、この提案の防虫剤は、タンス等で静置して使用した際、昇華性物質の消失が気温等の環境条件によって著しく左右されるという問題を有する。このため、昇華性物質のインジケーターへの応用は、明瞭な終点表示が要求されない防虫剤に留まっているのが現状である。
【特許文献１】特開２００１−２４７４０６号公報
【特許文献２】特開平７−１４９６０１号公報
【発明の開示】
【発明が解決しようとする課題】
【０００５】
本発明は、遠心力を利用して薬剤を揮散させる薬剤揮散装置に適用され、しかもシンプルで使いやすい薬剤残量表示機能を備えた薬剤カートリッジを提供することを目的とする。
【課題を解決するための手段】
【０００６】
本発明は、上記課題を解決するため、次のような構成を採用する。
（１）薬剤を担体に担持させた薬剤担持体を収容する回転体で、その中心位置に薬剤揮散装置の回転支持軸と連結するための軸心部を有する薬剤カートリッジにおいて、前記軸心部の上部に、昇華性物質又はゲル形成体が収納されるとともに、上面の少なくとも一部が透明で、かつ上面又は側面に通気孔とこれの遮蔽部材を有する成型容器を設けてなり、前記遮蔽部材は非回転時に前記通気孔を遮蔽し、一方回転時には遠心力によって前記通気孔を開放する機構を備えており、回転に伴う前記昇華性物質又はゲル形成体の消失状態を上面の前記透明部分を介して目視することにより、前記薬剤担持体の使用終点を認知できるように構成した薬剤カートリッジ。
（２）遮蔽部材が、非回転時は弾性体によって通気孔を遮断し、一方回転時の遠心力が弾力に抗して通気孔を開放する機構を備える（１）記載の薬剤カートリッジ。
（３）昇華性物質が、２，４，６−トリイソプロピル−１，３，５−トリオキサン、又はアダマンタンである（１）又は（２）記載の薬剤カートリッジ。
（４）ゲル形成体が、Ｎ−アシルアミノ酸誘導体系ゲル化剤を含む（１）又は（２）記載の薬剤カートリッジ。
（５）昇華性物質又はゲル形成体が着色されている（１）ないし（４）のいずれか記載の薬剤カートリッジ。
（６）内周面及び外周面にそれぞれ開口部が形成されている環状の中空構造体に薬剤担持体が収容され、この中空構造体と軸心部の間に複数のスポーク部が架設されている（１）ないし（５）のいずれか記載の薬剤カートリッジ。
（７）薬剤担持体の担体が、粒状もしくは略粒状でその平均外径が２ｍｍ〜８ｍｍのセルロース製ビーズである（６）記載の薬剤カートリッジ。
（８）薬剤担持体の上下両側面をそれぞれ上側部分及び下側部分によって囲み、かつ外側周囲を複数個の保持枠によって囲んでいる（１）ないし（５）のいずれか記載の薬剤カートリッジ。
（９）薬剤担持体の担体が、上下両側面にメッシュ状の薬剤保持繊維層を有し、その両層間において両層を支持連結している支持連結用繊維層を配置した三次元の立体繊維構造体である（８）記載の薬剤カートリッジ。
（１０）薬剤が、一般式（Ｉ）
【化１】
2006325404.tif 000003
（式中、Ｘは水素原子又はメチル基を表す。Ｘが水素原子の時、Ｙはビニル基、１−プロペニル基、２−メチル−１−プロペニル基、２，２−ジクロロビニル基、２，２−ジフルオロビニル基又は２−クロロ−２−トリフルオロメチルビニル基を表し、Ｘがメチル基の時、Ｙはメチル基を表す。また、Ｚは水素原子、フッ素原子、メチル基、メトキシメチル基又はプロパルギル基を表す）で表されるフッ素置換ベンジルアルコールエステル化合物から選ばれた１種又は２種である（１）ないし（９）のいずれか記載の薬剤カートリッジ。
【発明の効果】
【０００７】
本発明の薬剤カートリッジは、薬剤の揮散が効率的で優れた効能・効果を奏するとともに、シンプルで使いやすい薬剤残量表示機能を備えるので、その実用性は極めて高い。
【発明を実施するための最良の形態】
【０００８】
本発明で用いられる薬剤としては、揮散性に優れた殺虫成分、殺ダニ成分、忌避成分、抗菌成分、消臭成分、芳香成分等があげられる。殺虫成分としては、エムペントリンやテフラメトリンの外、特に、一般式（Ｉ）
【化２】
2006325404.tif 000004
（式中、Ｘは水素原子又はメチル基を表す。Ｘが水素原子の時、Ｙはビニル基、１−プロペニル基、２−メチル−１−プロペニル基、２，２−ジクロロビニル基、２，２−ジフルオロビニル基又は２−クロロ−２−トリフルオロメチルビニル基を表し、Ｘがメチル基の時、Ｙはメチル基を表す。また、Ｚは水素原子、フッ素原子、メチル基、メトキシメチル基又はプロパルギル基を表す）で表されるフッ素置換ベンジルアルコールエステル化合物から選ばれた常温揮散性殺虫成分が好適である。これらの化合物は、従来のアレスリン、フラメトリン及びプラレトリンに比べて蒸気圧が高く、蚊、ハエ、ブユ、ユスリカなどの害虫に対する殺虫効力も優れている。なお、化合物の酸成分において、不斉炭素に基づく光学異性体や幾何異性体が存在する場合、それらの各々や任意の混合物も本発明に包含されることはもちろんである。
【０００９】
一般式（Ｉ）で表される化合物の具体例としては、２，３，５，６−テトラフルオロベンジル−クリサンテマート（以後、化合物Ａと称す）、２，３，５，６−テトラフルオロベンジル−２，２−ジメチル−３−（１−プロペニル）シクロプロパンカルボキシレート（以後、化合物Ｂと称す）、２，３，５，６−テトラフルオロベンジル−２，２−ジメチル−３−（２，２−ジクロロビニル）シクロプロパンカルボキシレート（以後、化合物Ｃと称す）、４−メチル−２，３，５，６−テトラフルオロベンジル−クリサンテマート（以後、化合物Ｄと称す）、４−メチル−２，３，５，６−テトラフルオロベンジル−２，２−ジメチル−３−（１−プロペニル）シクロプロパンカルボキシレート（以後、化合物Ｅと称す）、４−メチル−２，３，５，６−テトラフルオロベンジル−２，２−ジメチル−３−（２，２−ジフルオロビニル）シクロプロパンカルボキシレート（以後、化合物Ｆと称す）、４−メトキシメチル−２，３，５，６−テトラフルオロベンジル−クリサンテマート（以後、化合物Ｇと称す）、４−メトキシメチル−２，３，５，６−テトラフルオロベンジル−２，２−ジメチル−３−（１−プロペニル）シクロプロパンカルボキシレート（以後、化合物Ｈと称す）、２，３，４，５，６−ペンタフルオロベンジル−２，２−ジメチル−３−（２−クロロ−２−トリフルオロメチルビニル）シクロプロパンカルボキシレート（以後、化合物Ｉと称す）、４−プロパルギル−２，３，５，６−テトラフルオロベンジル−２，２−ジメチル−３−（１−プロペニル）シクロプロパンカルボキシレート（以後、化合物Ｊと称す）、４−メチル−２，３，５，６−テトラフルオロベンジル−２，２−ジメチル−３−ビニルシクロプロパンカルボキシレート（以後、化合物Ｋと称す）、２，３，５，６−テトラフルオロベンジル−２，２，３，３−テトラメチルシクロプロパンカルボキシレート（以後、化合物Ｌと称す）、又は４−メトキシメチル−２，３，５，６−テトラフルオロベンジル−２，２，３，３−テトラメチルシクロプロパンカルボキシレート（以後、化合物Ｍと称す）をあげることができる。
【００１０】
また、他の薬剤としては、例えばディート、ジメチルフタレート、２−エチル−１，３−ヘキサンジオール等の忌避成分、ヒノキチオール、テトラヒドロリナロール、オイゲノール、シトロネロール、アリルイソチオシアネート等の抗菌成分、シトロネラ油、オレンジ油、レモン油、ライム油、ユズ油、ラベンダー油、ペパーミント油、ユーカリ油、ジャスミン油、檜油、緑茶精油、リモネン、α−ピネン、リナロール、ゲラニオール、フェニルエチルアルコール、アミルシンナミックアルデヒド、クミンアルデヒド、ベンジルアセテート等の芳香成分、「緑の香り」と呼ばれる青葉アルコールや青葉アルデヒド配合の香料成分等があげられる。
【００１１】
前記薬剤は各種担体に担持されるが、その材質としては、例えば、紙、パルプ、ビスコースなどのセルロース系担体、ポリエステル、ナイロン、アクリル、ポリプロピレンなどの合成繊維担体、エチレン−酢酸ビニール系樹脂、オレフィンポリマーなどの合成樹脂担体、ケイ酸カルシウムなどの無機質担体などがあげられる。
なかでも、天然由来の紙、パルプ、ビスコースなどのセルロース系担体を、平均外径が２ｍｍ〜８ｍｍ程度の粒状もしくは略粒状に形成したものが好ましく、特に発泡セルロースビーズ［商品名：ビスコパール（レンゴー株式会社製）］が使いやすい。
また、ポリエステル、ナイロン等を素材とする三次元の立体繊維構造体、例えば、上下両側面にメッシュ状の薬剤保持繊維層を有し、その両層間において両層を支持連結している支持連結用繊維層を配置したものは、薬剤保持能及び揮散性能がともに優れ、本発明で用いる担体として好適である。ここで上下両側のメッシュの単位は、同一形状でも異なっていてもよく、例えば、上側のメッシュの単位形状よりも、下側のメッシュの単位形状の方が小さな場合を包摂している。
【００１２】
本発明では、前記担体（通常０．５〜３ｇ、好ましくは１〜２ｇ）に対する薬剤担持量は、２０〜６００ｍｇ、好ましくは３０〜２００ｍｇが適当である。薬剤の担持量が２０ｍｇより少ないと、効力（特に殺虫効力）の持続性に不足を生じる場合がある。一方、担持量の最大量は担体の保持能等を考慮して６００ｍｇ以下が好ましい。
薬剤を担持させる際は、必要に応じ溶剤、希釈剤、界面活性剤、分散剤、徐放化剤などを用い、また従来から知られている各種担持手段を採用することができる。更に、薬剤担持体に、安定剤、香料、着色剤、帯電防止剤などを適宜配合してもよい。
【００１３】
本発明は、前記薬剤担持体を収容する回転体であって、その中心位置に薬剤揮散装置の回転支持軸と連結するための軸心部を有し、この軸心部の上部に薬剤残量表示機能を備えた薬剤カートリッジを提供するものである。
具体的には、昇華性物質又はゲル形成体（以降、両者を含めて「表示物質」と略称する場合あり）を収納するとともに上面の少なくとも一部を透明に形成した成型容器を軸心部の上部に設け、薬剤担持体とともに回転させる。この成型容器は、上面又は側面に通気孔とこれの遮蔽部材を有しており、この遮蔽部材は非回転時に前記通気孔を遮蔽し、一方回転時には遠心力によって前記通気孔を開放する機構を備えている。
【００１４】
すなわち、本発明は、非回転時における表示物質の消失を基本的になくし、昇華性物質又はゲル形成体を用いる薬剤残量表示機能をより一層明確に改良したものである。
通気孔の遮蔽・開放機構は、回転に伴う遠心力を利用する限り特に限定されない。
例えば、遮蔽部材が板状のシートであり、非回転時は弾性体、もしくは重力によって通気孔を遮断し、一方回転時の遠心力が弾力、もしくは重力に抗して通気孔を開放する機構があげられる。なお、回転体が、横置きのみならず、縦置きでも使用されるケースがあることを考慮すると、前者の弾性体を利用する機構がより適しているといえる。
弾性体としてはゴム材やバネ等があげられ、シートとしてはプラスチック板やアルミ板が一般的である。また、板状のシートの替わりに、弾性体として伸縮性を有する膜状のシートを用い、その弾力を利用するようにしてもよい。
而して、回転に伴う昇華性物質又はゲル形成体の消失状態を上面の透明部分を介して目視することにより、薬剤担持体の使用終点を明瞭に認知可能となる。かかるシステムは、シンプルであり、電気的制御機構を必要とする液晶表示器に比べて安価で利便性に優れている。
【００１５】
昇華性物質としては、２，４，６−トリイソプロピル−１，３，５−トリオキサン［商品名：サンサブリ（小川香料株式会社製）］、トリシクロドデカン［商品名：アイサワーＤ（出光石油化学株式会社製）］、２−ヒドロキシカンファー（慣用名：ボルネオール）、２,２−ジメチル−１,３−プロパンジオール（慣用名：ネオペンチルグリコール）、アダマンタンなどがあげられる。なかでも、２，４，６−トリイソプロピル−１，３，５−トリオキサンやアダマンタンが使いやすい。
【００１６】
一方、ゲル形成体としては、Ｎ−アシルアミノ酸誘導体系ゲル化剤、２−エチルヘキサン酸のアルミニウム塩、１２−ヒドロキシステアリン酸などのゲル化剤を用いて形成したものがあげられるが、ゲル形成性や保形性、あるいは薬剤の揮散性等の点からＮ−アシルアミノ酸誘導体系ゲル化剤を含むタイプが好ましい。
Ｎ−アシルアミノ酸誘導体系ゲル化剤には、Ｎ−アシルアミノ酸エステル、Ｎ−アシルアミノ酸アミド及びＮ−アシルアミノ酸アミン塩があるが、例えば、Ｎ−ラウロイル−Ｌ−グルタミン酸−α，γ−ジ−ｎ−ブチルアミド［味の素株式会社製、商品名：油ゲル化剤ＧＰ−１］(以降、ゲル化剤Ａと称す)が安全性も高く使いやすい。
【００１７】
ゲル化剤Ａと共に用いられる溶剤としては、パラフィン系もしくは芳香族系炭化水素類、脂肪族もしくは芳香族系エステル類等を使用できる。かかる具体例を例示すれば、中央化成株式会社製のデオトミゾールＳ、ネオチオゾールＳ、日本石油化学株式会社製のソルベトＨ、日鉱石油化学株式会社製のＳＨ−ＮＰ、出光石油化学株式会社製のＩＰソルベント−２８３５、エクソン化学株式会社製のアイソパーＶなどの炭素数が１３〜１６のパラフィン系溶剤や、フタール酸、フマール酸、マレイン酸、あるいはアジピン酸等の低級アルキルエステル類などがあげられる。
例えば、ゲル化剤Ａを用いた場合の溶剤の配合比率は、ゲル化剤Ａが１重量部に対し１０〜２００重量部程度が適当である。そして、ゲル形成体は、前記溶剤に所定量のゲル化剤Ａを添加して溶解温度以上（約７０〜１５０℃）で加熱溶解した後、静置冷却することによって容易に調製できる。
【００１８】
昇華性物質やゲル形成体には、安定剤、香料、着色剤、帯電防止剤などを適宜配合してもよい。色彩の付加は、商品価値を高めるだけでなく、薬剤の揮散終点を明瞭に視認させ得ることから特に好ましい。
昇華性物質やゲル形成体は、板状、棒状、球状、星型状、円盤状など各種形状の錠剤もしくは固形状に成形したのち、前記した成型容器に収納されるが、その成形体重量は１００ｍｇ〜２．０ｇ程度の範囲が適当である。１２０時間用、２４０時間用、３６０時間用、４８０時間用、７２０時間用など各種用途に対応させる場合は、成形体重量あるいは成型容器の上面又は側面に設ける通気孔の孔径や個数を適宜設定すればよい。
【００１９】
成型容器の材質としては、ポリエチレンテレフタレート（ＰＥＴ）、ポリブチレンテレフタレート（ＰＢＴ）などのポリエステル、ポリアミド（ＰＡ）、ポリアセタール、ポリカーボネート、メチルペンテンポリマー、ポリエチレン、ポリプロピレンなどがあげられるがこれらに限定されない。昇華性物質やゲル形成体の溶剤等を吸着しない点で、ポリエステル、ポリアミドなどが好ましいが、昇華性や揮散性に支障を来たさない限りにおいて、成型性のよいポリエチレン、ポリプロピレン等を使用しても構わない。
また、上面の透明部分は、例えば透明なプラスチックフィルムを用いて形成すればよい。
【００２０】
本発明の薬剤カートリッジは、薬剤担持体を収容し薬剤残量表示機能を備えるほか、薬剤担持体が変形しやすい形状の場合の保護機能や、薬剤に手指が触れるのを防止する機能も有しており、その形状や大きさは任意に決定することができる。
例えば、内周面及び外周面にそれぞれ開口部が形成されている断面矩形の環状中空構造体に薬剤担持体が収容され、この中空構造体と軸心部の間に複数のスポーク部が架設されている薬剤カートリッジがある。
この場合、薬剤カートリッジの内周面の内側にシロッコファンを一体的に装填し、遠心力にファンによる風力を付与する構成を採用するのが好ましい。開口部の大きさは、薬剤担持体の形状や大きさに応じて設計することができ、例えば、薬剤担持体の担体が粒状もしくは略粒状の場合、薬剤担持体が散逸しないようにその外径より小さい開口幅を有するスリットを並設すればよい。
【００２１】
また、薬剤担持体の上下両側面をそれぞれ上側部分及び下側部分によって囲み、外側周囲を複数個の保持枠によって囲み、かつ中心位置にある軸心部が薬剤揮散装置の回転支持軸と連結し得る薬剤カートリッジがあげられる。
ここで、保持枠の形状や数は特に限定されている訳ではないが、設計上の便宜をも考慮し、例えば上下両側には板状、また周囲には断面が丸形、三角形又は四角形状のものを複数個設けるのが適当である。なお、保持枠の替わりにネットを用いてももちろん構わない。
【００２２】
本発明の薬剤カートリッジは、薬剤揮散装置に付設された回転駆動装置の回転支持軸に連結して用いられる。回転駆動装置として用いるモーターの仕様は、ＤＣ１．５Ｖ〜６．０Ｖ駆動で、５００〜２０００ｒｐｍの回転数を与えるものが適当である。また、電源としては、装置のシンプル化から乾電池駆動が好ましいが、１００Ｖ交流電源と共用可能にしたり、太陽電池を用いた構成にすることもできる。１００Ｖ交流電源を利用する場合、ＡＣアダプターを用いて電圧ドロップ、整流した後モーター用電源回路に供給される。ＡＣアダプターは、薬剤揮散装置に内蔵してもよいが、コンセントプラグと一体化すると、プラグと薬剤揮散装置間の電源コードを軽量化できるというメリットを有する。
【００２３】
薬剤揮散装置はシンプルで操作が簡単なものが好ましいが、もちろん製造性やコスト面で許す限り種々の機能が付加されても構わない。
例えば、モーターの駆動と休止のサイクルを繰り返し、薬剤を間欠的に揮散せしめるようにしてもよいし、スイッチオンを示すパイロットランプを別途装填してもよい。
更に、使用中、手指などが薬剤カートリッジに触れないように、薬剤揮散装置の蓋部材に保護バーの機能を持たせることもできる。
【００２４】
こうして得られた本発明の薬剤カートリッジを薬剤揮散装置に装填して使用すると、薬剤担持体に作用する遠心力又は遠心力及びファンによる風力に基づき、薬剤を効率的に揮散、放出させ、薬剤として殺虫成分を用いた場合には、屋内又は屋外において、蚊や蚋、ハエ、ユスリカなどの各種害虫、あるいはイガ、カツオブシムシなどの衣料害虫に対してすぐれた殺虫、防虫効果を奏する。
そして、薬剤カートリッジに設けられた昇華性物質又はゲル形成体の消失速度は、モーターの回転使用期間にほぼ比例するので、昇華性物質又はゲル形成体の完全な消失をもって薬剤カートリッジの使用終了時点を知らしめることが可能となる。また、薬剤残量表示機能が薬剤担持体とセットになっているため、乾電池の電池残量と無関係に、薬剤カートリッジを取替えて新たに使用できるという利点を有する。
【００２５】
次に、具体的実施例ならびに試験例に基づいて、本発明の薬剤カートリッジを更に詳細に説明する。
【実施例１】
【００２６】
図１は本発明の薬剤カートリッジ及びこれが装填された薬剤揮散装置の一例の開蓋状態の斜視図を示し、図２はその蓋を閉じた状態の断面図を示す。また、図３は、昇華性物質又はゲル形成体を収納する成型容器の断面図を示す。
１は薬剤カートリッジで、その断面矩形の環状中空構造体２（外径６．５ｃｍ、内径４ｃｍ、高さ２ｃｍ）に薬剤担持体３が収容され、内周面及び外周面にはそれぞれ開口スリット（幅２ｍｍ、高さ方向ほぼ全長）が３ｍｍおきに形成されている。中心位置の軸心部４と環状中空構造体２間に３本のスポーク部５が架設され、内周面に沿って計２４枚のシロッコファン６を有し、軸心部４には昇華性物質７を収納する成型容器８が設けられている。
成型容器８はポリプロピレン製で、側周面にφ２．８ｍｍの２個の通気孔９と、その外面にそれぞれプラスチック製遮蔽板１０を有しており、回転時に遠心力が作用すると遮蔽板１０がゴム材１１の弾力に抗して通気孔９を開放するようになっている。
本発明では、成型容器８は、青色に着色したアダマンタン錠剤（外径１０ｍｍ、０．４ｇ）を含み、その上面は透明のポリエステルフィルム１２でシールされている。
【００２７】
薬剤揮散装置は、回転駆動装置としてのモーター１３と、電源としての乾電池１４を備え、モーター１３を回転させると、遠心力とシロッコファン６による風力が生じ、上面吸気口１５から流入した空気は薬剤カートリッジ１の内部を通り開口スリットから排気口１６を経て流出するが、この空気の流れにのって薬剤担持体３に担持させた薬剤は空中に放散される。
【００２８】
実施例１では、２４０時間用として、化合物Ｈ［４−メトキシメチル−２，３，５，６−テトラフルオロベンジル−２，２−ジメチル−３−（１−プロペニル）シクロプロパンカルボキシレート］７０ｍｇを、平均外径が約３ｍｍの粒状発泡セルロースビーズ［商品名：ビスコパール（レンゴー株式会社製）］１．０ｇに担持させて得られた薬剤担持体３を、薬剤カートリッジ１に収容し、モーター１３として回転数が１２００ｒｐｍ仕様のものを用い、乾電池１４は１．５Ｖの単３電池２個を使用した。
【００２９】
薬剤揮散装置に薬剤カートリッジ１を装着後スイッチをオンにし、リビングルームのサイドボードの上に置いて使用した。使用中、蚊やブユに悩まされることがなく、十分な防虫効果が認められた。また、使用経過とともに青色のアダマンタン錠剤が徐々に減少し、延べ約２４０時間使用時点で全て消失した。本薬剤カートリッジ１は、操作が簡便で薬剤残量表示機能もわかりやすく、極めて実用的であった。
【実施例２】
【００３０】
実施例２では、薬剤担持体３の担体として、上下両側に撚糸状態のポリエステル繊維を用いて二次元のメッシュ状の薬剤保持繊維層を編成し、当該両側間にナイロン繊維からなる支持連結用繊維層を配置し、全体として上下方向の厚みが３．７ｍｍ、外径が４．５ｃｍで、中央部（内径２．５ｃｍ）をくり抜いた円盤状のものを作製した。
また、薬剤カートリッジ１は、この薬剤担持体３を収容できる大きさで、上下面の外周縁に内方に向けて３個の板状保持枠を、また側面周囲には断面が三角形の８個の保持枠を設けた略円盤状とし、その軸心部４に昇華性物質収納用の成型容器８を付設した。
なお、成型容器８の形状は実施例１に準じたが、通気孔９の遮蔽板１０は重力で遮蔽・開放を動作する機構を採用した。そして、青色に着色したサンサブリ錠剤（外径１２ｍｍ、０．８ｇ）を成型容器８に収納し、その上面は透明のポリエチレンフィルム１２でシールした。
【００３１】
また、実施例１で用いた薬剤の替わりに、化合物Ｃ［２，３，５，６−テトラフルオロベンジル−２，２−ジメチル−３−（２，２−ジクロロビニル）シクロプロパンカルボキシレート］１５０ｍｇを担体に担持させ、４８０時間用の薬剤担持体３とした。
こうして得られた本発明の薬剤カートリッジ１を、実施例１と同様にモーター１３や乾電池１４とともに装填して薬剤揮散装置を構成した。
【００３２】
薬剤揮散装置を犬小屋内にて吊り下げ、１日あたり８時間作動させ、当該作動を約６０日間継続したところ、蚊やブユに対して安定した殺虫効力を発揮し、犬は害虫に悩まされることはなかった。また、使用経過とともに青色のサンサブリ錠剤が徐々に減少し、延べ約４８０時間使用時点で全て消失したので、薬剤担持体３の使用終点を明瞭に認知することができた。
【実施例３】
【００３３】
実施例１で用いた昇華性物質の替わりに、ゲル化剤Ａ（０．０１ｇ）、ＩＰソルベント２８３５（１．０ｇ）及び微量の緑色色素の混合物を加熱溶解させ、これを円盤状の容器に注ぎ込み放冷してゲル形成体７１を調製した。
他の仕様は実施例１と同様に作製して、本発明の薬剤カートリッジ１ならびにこれを装填した薬剤揮散装置を構成した。
【００３４】
薬剤揮散装置を玄関に置いて使用したところ、約２４０時間にわたり蚊や各種害虫の虫よけに有効であった。約２４０時間後、緑色のゲル形成体が微小となり、薬剤カートリッジの交換時期の表示は明瞭であった。
【実施例４】
【００３５】
実施例１に準じ、薬剤担持体３を収納し薬剤残量表示機能を備えた薬剤カートリッジ１（２４０時間用）を作製し、薬剤揮散装置に装填して性能試験を行った。なお、殺虫効力は、ｄｌ，ｄ−シス／トランス−アレスリン（ピナミンフォルテ）を含有する蚊取マットを発熱体放熱板温度１６０℃の条件で蒸散させた時の初期仰転効果を１．００として相対有効比で示した。
【００３６】
【表１】
2006325404.tif 000005
【００３７】
本発明の薬剤カートリッジは、２４０時間の長期にわたり優れた殺虫効力を保持し、昇華性物質又はゲル形成体の消失によって使用終点を容易に認知することができ、薬剤残量表示機能としてもすぐれていた。
これに対し、比較例１のように、電気的制御機構による液晶表示を具備したものは、終点の表示は正確であるが装置が複雑でコスト高が免れなかった。一方、比較例２の如く、薬剤担持体中の薬剤残量と連動する染料を使用し、色の変化を終点表示に利用するタイプは、２４０時間後の時点で色調の幅があり、不明瞭であった。従って、本発明の有用性が確認された。
【図面の簡単な説明】
【００３８】
【図１】本発明の薬剤カートリッジ及びこれが装填された薬剤揮散装置の一例の開蓋状態の斜視図を示す。
【図２】その蓋を閉じた状態の断面図を示す。
【図３】昇華性物質又はゲル形成体を収納する成型容器の断面図を示す。
【符号の説明】
【００３９】
１：薬剤カートリッジ
２：環状中空構造体
３：薬剤担持体
４：軸心部
５：スポーク部
６：シロッコファン
７：昇華性物質
７１：ゲル形成体
８：成型容器
９：通気孔
１０：遮蔽板
１１：ゴム材
１２：透明プラスチックフィルム
１３：モーター
１４：乾電池
１５：吸気口
１６：排気口
【図１】
2006325404.tif 000007
【図２】
2006325404.tif 000008
【図３】
2006325404.tif 000009